(57)【特許請求の範囲】
【請求項１】
施設から出場する利用者が所持する通行券を受け付け、その通行券に記録されている券情報を読み取る券情報読取手段と、
前記券情報読取手段が読み取った券情報に基づいて、その利用者に対する通路の通行を許可するかどうかを判定する通行可否判定手段と、
前記通行可否判定手段の判定結果に応じて、前記通路における利用者の通行を制限する通行制限手段と、を備えた出場用ゲート装置であって、
前記通路を通行している利用者を撮像する撮像手段と、
前記撮像手段が撮像した利用者の撮像画像と、その利用者が所持する通行券の識別コードと、を含む通過者情報を上位装置に通知するアップロード手段と、
前記上位装置が接続されている複数の前記出場用ゲート装置のいずれかから通知された前記通過者情報を通知してきたとき、この通過者情報を記憶する通過者情報記憶手段と、
前記券情報読取手段が券情報を読み取った通行券が、予め定めた第１の時間以内に使用された通行券であれば、前記撮像手段が撮像した前記通路を通行している利用者の撮像画像と、前記通過者情報記憶手段が記憶している該当する通行券が使用されたときの通過者情報に含まれている利用者の撮像画像と、を用いて、同一人物による使用であるかどうかを判定する利用者判定手段と、を備え、
前記通行可否判定手段は、前記利用者判定手段が同一人物による使用でないと判定したときには、その利用者に対して通路の通行を許可しないと判定する手段である、出場用ゲート装置。
【請求項２】
利用者が所持する通行券を受け付け、その通行券に記録されている券情報を読み取る券情報読取手段、前記券情報読取手段が読み取った券情報に基づいて、その利用者に対する通路の通行を許可するかどうかを判定する通行可否判定手段、および、前記通行可否判定手段の判定結果に応じて、前記通路における利用者の通行を制限する通行制限手段、を備えた複数のゲート装置を、上位装置に接続した通行制御システムであって、
複数の前記ゲート装置には、施設に入場する利用者に対して通路の通行を制限する入場用ゲート装置と、施設から出場する利用者に対して通路の通行を制限する出場用ゲート装置と、の２種類があり、
少なくとも前記出場用ゲート装置は、
前記通路を通行している利用者を撮像する撮像手段と、
前記撮像手段が撮像した利用者の撮像画像と、その利用者が所持する通行券の識別コードと、を含む通過者情報を前記上位装置に通知するアップロード手段と、を備え、
前記上位装置は、
前記出場用ゲート装置から通知された前記通過者情報を、接続されている各出場用ゲート装置に通知するダウンロード手段を備え、
さらに、少なくとも前記出場用ゲート装置は、
前記上位装置から前記通過者情報が通知されたときに、通知された通過者情報を記憶する通過者情報記憶手段と、
前記券情報読取手段が券情報を読み取った通行券が、予め定めた第１の時間以内に使用された通行券であれば、前記撮像手段が撮像した前記通路を通行している利用者の撮像画像と、前記通過者情報記憶手段が記憶している該当する通行券が使用されたときの通過者情報に含まれている利用者の撮像画像と、を用いて、同一人物による使用であるかどうかを判定する利用者判定手段と、を備え、
前記通行可否判定手段が、前記利用者判定手段が同一人物による使用でないと判定したときには、その利用者に対して通路の通行を許可しないと判定する手段である、
通行制御システム。
【請求項３】
少なくとも前記出場用ゲート装置は、
前記アップロード手段が、利用者が前記通路を通行した日時を含めた通過者情報を前記上位装置に通知する手段であり、
利用者が通路を通行した日時から前記第１の時間経過した通過者情報を、前記通過者情報記憶手段から削除する通過者情報削除手段を備えている、
請求項２に記載の通行制御システム。
【請求項４】
少なくとも前記出場用ゲート装置は、
前記通行可否判定手段が通路の通行を許可すると判定した利用者の通行券に出場日時を含む出場履歴を書き込む出場履歴書き込み手段を備え、
前記利用者判定手段が、通行券に記録されている出場履歴に基づいて、予め定めた第１の時間以内に使用された通行券であるかどうかを判定する手段である、
請求項２、または３に記載の通行制御システム。
【請求項５】
少なくとも前記入場用ゲート装置は、
前記券情報読取手段が券情報を読み取った通行券が、前記第１の時間よりも短い第２の時間以内に使用された通行券であれば、その通行券の識別コードを含む入場情報を前記上位装置に通知する入場情報通知手段を備え、
前記上位装置は、
前記出場用ゲート装置から通知された前記通過者情報を一時的に記憶する一時記憶手段を備え、
前記ダウンロード手段が、前記入場用ゲート装置から前記入場情報が通知された通行券について、前記一時記憶手段に記憶している該当する前記通過者情報を各出場用ゲート装置に通知する手段である、
請求項２〜４のいずれかに記載の通行制御システム。
【請求項６】
少なくとも前記入場用ゲート装置は、
前記入場情報通知手段が、前記券情報読取手段が券情報を読み取った通行券が、前記第１の時間よりも短い第２の時間以内に使用された通行券であって、且つ、通路を通って施設に入場した利用者が検知できなかった場合に、前記入場情報を前記上位装置に通知する手段である、
請求項５に記載の通行制御システム。
【発明の詳細な説明】
【技術分野】
【０００１】
この発明は、通路における施設から出場する利用者の通行を制限する出場用ゲート装置、およびこのゲート装置を用いた通行制御システムに関する。
【背景技術】
【０００２】
従来、鉄道の駅の改札口では、駅構内に入場する利用者や、駅構内から出場する利用者に対する改札処理を自動改札機で行っている。自動改札機は、利用者が所持しているキップ、定期券、プリペイド券等の乗車券を受け付け、この乗車券に記録されている乗車券情報を読み取り、読み取った乗車券情報（有効期間や、有効区間等）に基づいて、その利用者に対する改札通路の通行可否を判定する。自動改札機は、利用者に対して改札通路の通行を許可すると判定すると、改札通路の出口側に位置する扉を開し、反対に、利用者に対して改札通路の通行を許可しないと判定すると、改札通路の出口側に位置する扉を閉する。
【０００３】
また、適正な乗車券を所持せずに、改札通路に進入し、閉された扉を飛び越える等して改札通路を故意に突破する不正通行者がいる。このような不正行為が行われるのを抑制するために、改札通路を通行している利用者を撮像するカメラを設置し、改札通路を故意に突破した不正通行者を検知すると、そのときのカメラの撮像画像を記録保存することが提案されている（特許文献１、２等参照）。
【特許文献１】特許第３６１７１２７号公報
【特許文献２】特許第３３８９０２９号公報
【発明の開示】
【発明が解決しようとする課題】
【０００４】
しかしながら、従来の自動改札機は、改札通路の通行を許可するかどうかの判定を、その利用者が所持している乗車券に記録されている乗車券情報によって行っており、乗車券の所有者が改札通路を通行している利用者であるかどうかについては考慮していなかった。このため、定期券や、期間限定のフリーパス券等の使用回数に関係なく料金が一定である乗車券（以下、総称して特定乗車券と言う。）が複数人で使い回されても、そのことを検出することができなかった。すなわち、特定乗車券の使い回しという不正使用を防止することができなかった。ここで言う、期間限定のフリーパス券とは、例えば有効日当日に限り、鉄道網における設定エリア内の駅で自由に入出場できる１日乗車券等である。特定乗車券の使い回しとは、簡単に言うと、以下に示す行為である。
【０００５】
複数人の利用者の中に、適正な特定乗車券を所持している利用者が１人いる。まず、入場駅では、特定乗車券を所持している利用者はその特定乗車券で駅に入場し、特定乗車券を所持していない利用者は入場券や最短区間のキップを購入して入場する。そして、出場駅で、特定乗車券を所持している利用者がその特定乗車券で駅から出場する。出場した利用者が、この時点で出場していない利用者に対して、改札越しに特定乗車券を受け渡す。特定乗車券を受け取った利用者が、その特定乗車券で出場する。すなわち、他人の特定乗車券で改札通路を不正に通行して出場する。不正に出場した利用者は、入場駅で使用した入場券や最短区間のキップを破棄する。
【０００６】
また、最近の自動改札機は、乗車券に対して、入場時や、出場時に入出場情報（入出場の種別、入出場日時、入出場駅等）を記録し、入場、または出場が連続する乗車券については、改札通路における利用者の通行を禁止する通行制御を行っている。しかし、このような自動改札機であっても、出場した利用者が、出場していない別の利用者に受け渡す前に、特定乗車券を入場用の自動改札機に処理させると、この特定乗車券に入場情報が記録されるので、特定乗車券の使い回しを防止することができない。例えば、使い回しされる特定乗車券が磁気券であれば、この特定乗車券を、入場用の自動改札機の乗車券投入口に投入する。このとき、特定乗車券を投入した利用者（すでに出場している利用者）は、駅構内に入場しない。また、この特定乗車券を受け取る利用者（まだ出場していない利用者）が、この入場用の自動改札機の乗車券放出口に放出された定期券等を抜き取る。また、使い回しされる特定乗車券が無線通信機能を有する非接触ＩＣ券であれば、この特定乗車券を、入場用の自動改札機の無線通信エリアに翳す。このときも、特定乗車券を翳した利用者（すでに出場している利用者）は、駅構内に入場しない。その後、出場していない利用者に対して、改札越しに特定乗車券を受け渡す。
【０００７】
なお、自動改札機が、特定乗車券を使い回して、改札通路を不正に通行している利用者を検出することができないので、上記特許文献１、および２で提案されている自動改札機のように、改札通路を通行する利用者を撮像するカメラを設置しても、その撮像画像を記録保存することができない。
【０００８】
この発明の目的は、通行券の使い回しという不正行為を検出し、このような不正行為が行われるのを防止できる出場用ゲート装置、およびこの出場用ゲート装置を用いた通行制御システムを提供することにある。
【課題を解決するための手段】
【０００９】
この発明の出場用ゲート装置は、上記課題を解決し、その目的を達するために、以下の構成を備えている。
【００１０】
この出場用ゲート装置では、券情報読取手段が、利用者が所持する通行券を受け付け、その通行券に記録されている券情報を読み取る。通行可否判定手段が、前記券情報読取手段が読み取った券情報に基づいて、その利用者に対する通路の通行を許可するかどうかを判定する。そして、通行制限手段が、前記通行可否判定手段の判定結果に応じて、前記通路における利用者の通行を制限する。
また、撮像手段が、前記通路を通行している利用者を撮像し、アップロード手段が、前記撮像手段が撮像した利用者の撮像画像と、その利用者が所持する通行券の識別コードと、を含む通過者情報を上位装置に通知する。また、通過者情報記憶手段が、上位装置が接続されている複数の前記出場用ゲート装置のいずれかから通知された前記通過者情報を通知してきたとき、この通過者情報を記憶する。したがって、自装置を利用者した利用者だけでなく、他の出場用ゲート装置を利用した利用者についても、通過者情報を通過者情報記憶手段に記憶することができる。
【００１１】
また、撮像手段が、前記通路を通行している利用者を撮像し、アップロード手段が、前記撮像手段が撮像した利用者の撮像画像と、その利用者が所持する通行券の識別コードと、を含む通過者情報を上位装置に通知する。また、通過者情報記憶手段が、前記上位装置から前記通過者情報が通知されたときに、通知された通過者情報を記憶する。したがって、自装置を利用者した利用者だけでなく、他のゲート装置を利用した利用者についても、通過者情報を通過者情報記憶手段に記憶することができる。
【００１２】
さらに、利用者判定手段が、前記券情報読取手段が券情報を読み取った通行券が、予め定めた第１の時間以内に使用された通行券であれば、前記撮像手段が撮像した前記通路を通行している利用者の撮像画像と、前記通過者情報記憶手段が記憶している該当する通行券が使用されたときの通過者情報に含まれている利用者の撮像画像と、を用いて、同一人物による使用であるかどうかを判定する。すなわち、同一の通行券が異なる利用者によって使用されていないかどうか（通行券の使い回しが行われていないかどうか）を判定する。そして、前記通行可否判定手段が、前記利用者判定手段によって同一人物による使用でないと判定されたとき、すなわち通行券の使い回しが行われていると判定されたとき、その利用者に対して通路の通行を許可しないと判定する。このように、通行券の使い回しという不正行為を検出することができるので、このような不正行為が行われるのを防止できる。
【００１３】
なお、複数人の利用者が通行券を使い回して通路を通行する場合、利用者間での通行券の受け渡しは数分〜十数分程度の短時間で行われるので、前記第１の時間は３０分程度の時間にしておけばよい。
【００１４】
また、この発明の通行制御システムは、上位装置に複数のゲート装置を接続したシステムである。ゲート装置には、施設に入場する利用者に対して通路の通行を制限する入場用ゲート装置と、施設から出場する利用者に対して通路の通行を制限する出場用ゲート装置と、の２種類がある。そして、少なくとも出場用ゲート装置については、上記ゲート装置を用いている。
【００１５】
なお、通行券の使い回しによる通路の不正通行は、施設からの出場だけでなく、施設に入場するときも行われる可能性があるので、入場用ゲート装置についても上記ゲート装置を用いてもよい。通行券を使い回して施設に入場した利用者は、通行券を所持していないので、施設から出場するときも通行券を使い回して出場することになる。したがって、少なくとも出場用ゲート装置が通行券の使い回しを検出できる構成であればよい。
【００１６】
また、少なくとも前記出場用ゲート装置に、利用者が通路を通行した日時から前記第１の時間経過した通過者情報を、前記通過者情報記憶手段から削除する通過者情報削除手段を設けてもよい。この場合、前記アップロード手段が、利用者が前記通路を通行した日時を含めた通過者情報を前記上位装置に通知する構成とすればよい。このようにすれば、不要になった通過者情報を、いつまでも記憶しつづけることがない。
【００１７】
また、少なくとも前記出場用ゲート装置に、前記通行可否判定手段が通路の通行を許可すると判定した利用者の通行券に出場日時を含む出場履歴を書き込む出場履歴書き込み手段を設け、前記利用者判定手段が、通行券に記録されている出場履歴に基づいて、予め定めた第１の時間以内に使用された通行券であるかどうかを判定する構成としてもよい。
【００１８】
また、少なくとも前記入場用ゲート装置に、前記券情報読取手段が券情報を読み取った通行券が、前記第１の時間よりも短い第２の時間以内に使用された通行券であれば、その通行券の識別コードを含む入場情報を前記上位装置に通知する入場情報通知手段を設ける。そして、前記上位装置に、前記出場用ゲート装置から通知された前記通過者情報を一時的に記憶する一時記憶手段を設け、前記ダウンロード手段を、前記入場用ゲート装置から前記入場情報が通知された通行券について、前記一時記憶手段に記憶している該当する前記通過者情報を各出場用ゲート装置に通知する構成としてもよい。このようにすれば、上位装置が出場用ゲート装置に対して無駄な通過者情報を通知するのを抑えることができる。
【００１９】
さらに、前記入場用ゲート装置の前記入場情報通知手段を、前記券情報読取手段が券情報を読み取った通行券が、前記第１の時間よりも短い第２の時間以内に使用された通行券であって、且つ、通路を通って施設に入場した利用者が検知できなかった場合に、前記入場情報を前記上位装置に通知する構成としてもよい。このようにすれば、上位装置が出場用ゲート装置に対して無駄な通過者情報を通知するのを一層抑えることができる。
【発明の効果】
【００２０】
この発明によれば、通行券の使い回しという不正行為が行われるのを防止できる。
【発明を実施するための最良の形態】
【００２１】
以下、この発明の実施形態である改札システムについて説明する。
【００２２】
図１は、この発明の実施形態である改札システムの構成を示す図である。この改札システムは、鉄道網の駅において、駅構内に入場する利用者や、駅構内から出場する利用者に対して改札処理を行うシステムである。この改札システムは、複数の自動改札機１と、駅サーバ２と、を有している。自動改札機１には、駅構内に入場する利用者に対して改札処理を行う入場用自動改札機１ａと、駅構内から出場する利用者に対して改札処理を行う出場用自動改札機１ｂと、がある。以下の説明では、特に、入場用自動改札機１ａと、出場用自動改札機１ｂとを区別しないときは、自動改札機１と言う。入場用自動改札機１ａと、出場自動改札機１ｂとは、駅の改札口に設置される。これらの自動改札機１は、データ通信可能に駅サーバ２に接続されている。駅サーバ２は、設置駅において行われた駅務処理を管理する。また、駅サーバ２は、公衆回線や専用回線等を介して、図示していないセンタ装置にデータ通信可能に接続されている。出場用自動改札機１ｂが、この発明で言うゲート装置に相当し、駅サーバ２が、この発明で言う上位装置に相当する。
【００２３】
なお、駅サーバ２には、図示していない券売機、精算機等の他の種類の駅務機器もデータ通信可能に接続されている。駅サーバ２は、自動改札機１による駅務処理（入場処理や出場処理）だけでなく、券売機によるキップ等の乗車券の発券処理や、精算機による運賃の精算処理等についても管理する。
【００２４】
図２（Ａ）は、入場用自動改札機の主要部の構成を示すブロック図であり、図２（Ｂ）は、入場用自動改札機の外観を示す概略図である。入場用自動改札機１ａは、上述したように、駅の改札口に設置され、駅構内に入場する利用者に対して改札処理を行う。入場用自動改札機１ａは、制御部１０と、乗車券処理部１１と、利用者検知部１２と、表示部１３と、扉開閉部１４と、報知部１５と、通信部１６と、を備えている。制御部１０は、入場用自動改札機１ａ本体各部の動作を制御する。乗車券処理部１１は、改札通路を通行する利用者が所持している乗車券を受け付け、受け付けた乗車券に記録されている乗車券情報の読み取りや、書き込みを行う。乗車券情報には、その乗車券を識別する乗車券識別コードが含まれている。乗車券には、乗車券情報を磁気データで記録している磁気券や、無線通信機能を有し、乗車券情報を内蔵メモリに記録している非接触ＩＣ券等がある。乗車券処理部１１は、改札通路の入口側に設けた投入口１１ａと出口側に設けた放出口１１ｂとの間に、磁気券を搬送する搬送路を有している。また、この搬送路の途中には、搬送している磁気券に記録されている乗車券情報の読み取りや、書き込みを行う磁気ヘッドが配置されている。また、改札通路の入口側には、非接触ＩＣ券と無線通信を行うためのアンテナ１１ｃが設けられている。乗車券処理部１１は、アンテナ１１ｃから数ｃｍの範囲が無線通信エリアであり、この無線通信エリア内に位置する非接触ＩＣ券との無線通信により、この非接触ＩＣ券が記憶している乗車券情報の読み取りや、この非接触式ＩＣ券に対する乗車券情報の書き込みを行う。乗車券が、この発明で言う通行券に相当し、乗車券情報が、この発明で言う券情報に相当する。
【００２５】
利用者検知部１２は、改札通路に沿って設けた複数のセンサにより、利用者の有無を検知することで、改札通路を通行している利用者の位置を検知する。表示部１３は、改札通路の出口側付近に設けた表示器１３ａに、改札通路を通行している利用者に対する案内メッセージ等を表示する。また、扉開閉部１４は、改札通路の出口側付近に設けた扉１４ａを開閉することにより、改札通路における利用者の通行を制限する。報知部１５は、改札通路に進入した利用者が適正な乗車券を所持していなければ、その旨を報知する。通信部１６は、駅サーバ２との通信を行う。
【００２６】
図３（Ａ）は、出場用自動改札機の主要部の構成を示すブロック図であり、図３（Ｂ）は、出場用自動改札機の外観を示す概略図である。出場用自動改札機１ｂは、上述した入場用自動改札機１ａと同様に、制御部１０と、乗車券処理部１１と、利用者検知部１２と、表示部１３と、扉開閉部１４と、報知部１５と、通信部１６と、を備えるとともに、さらに、出場者情報記憶部１７と、画像処理部１８と、カメラ１９と、を備えている。出場用自動改札機１ｂは、駅の改札口に設置され、駅構内から出場する利用者に対して改札処理を行う。出場用自動改札機１ｂが備える、乗車券処理部１１と、利用者検知部１２と、表示部１３と、扉開閉部１４と、報知部１５と、通信部１６については、上述した入場用自動改札機１ａと同様の構成であるので、ここでは説明を省略する。
【００２７】
出場者情報記憶部１７は、駅サーバ２から通知された出場者情報を記憶する。この出場者情報が、この発明で言う通過者情報に相当する。出場者情報の詳細については後述する。カメラ１９は、改札通路の入口側（駅構内側）に向け、改札通路に進入した利用者を正面から撮像する位置に取り付けている。カメラ１９は、出場用自動改札機１ｂ本体に内蔵されている構成であってもよいし、出場用自動改札機１ｂの設置場所の天井等に取り付けてもよい。図３では、カメラ１９を、改札通路の入口側に向けて、自動改札機１本体に取り付けた場合を例示している。画像処理部１８は、カメラ１９が撮像した利用者の撮像画像等に対する画像処理を行う。
【００２８】
駅の改札口では、周知のように、入場用自動改札機１ａと、出場用自動改札機１ｂと、を対向させて配置し、入場用自動改札機１ａと、出場用自動改札機１ｂと、の間の改札通路における利用者の通行方向を双方向にすることもある。
【００２９】
なお、図２（Ｂ）に示す通行方向は、駅構内に入場する方向であり、図３（Ｂ）に示す通行方向は、駅構内から出場する方向である。
【００３０】
次に、駅サーバ２の構成について説明する。図４は、駅サーバの主要部の構成を示すブロック図である。駅サーバ２は、制御部２０と、下位通信部２１と、上位通信部２２と、出場者情報記憶部２３と、を備えている。制御部２０は、駅サーバ２本体各部の動作を制御する。下位通信部２１は、接続されている自動改札機１や他の種類の駅務機器との間における通信を行う。上位通信部２２は、図示していないセンタ装置との通信を行う。このセンタ装置は、鉄道会社のセンタに設置されており、公衆回線や専用回線等を介して各駅に設置されている駅サーバ２と接続されている。出場者情報記憶部２３は、接続されている出場用自動改札機１ｂから通知された出場者情報を記憶する。
【００３１】
なお、駅サーバ２は、接続されている自動改札機１、券売機、精算機等の駅務機器で行われた駅務処理の処理結果や、これらの駅務機器の管理に用いる管理情報等を記憶する記憶部（不図示）を有している。
【００３２】
この改札システムは、定期券や、期間限定のフリーパス券等の使用回数に関係なく料金が一定である乗車券（以下、総称して特定乗車券と言う。）を複数人で使い回しする不正行為を防止するために、駅サーバ２を介して、いずれかの出場用自動改札機１ｂが改札処理を行って、駅構内から出場した利用者の出場者情報を、その駅に設置されている全ての出場用自動改札機１ｂに通知する。この出場者情報は、利用者が使用した乗車券の乗車券識別コード、その利用者に対して改札処理を行った出場日時、およびカメラ１９が撮像した利用者の撮像画像を含む情報である（図５参照）。各出場用自動改札機１ｂは、駅サーバ２を介して通知された出場者情報を出場者情報記憶部１７に記憶する。出場用自動改札機１ｂは、出場する利用者に対して改札処理を行うとき、出場者情報記憶部１７に記憶している出場者情報を用いて、特定乗車券の使い回しが行われているかどうかを判定し、特定乗車券の使い回しが行われていれば、その利用者に対する改札通路の通行を制限する。以下、この改札システムの動作について説明する。
【００３３】
図６は、出場用自動改札機の動作を示すフローチャートである。出場用自動改札機１ｂは、乗車券処理部１１が利用者の乗車券を受け付けると（ｓ１）、その乗車券に記録されている乗車券情報を読み取る（ｓ２）。出場用自動改札機１ｂは、ｓ２で読み取った乗車券情報に基づいて、有効期間や有効区間等が適正な乗車券であるかどうかを判定する（ｓ３）。出場用自動改札機１ｂは、ｓ３で適正な乗車券であると判定すると、この乗車券が、自機の設置駅のいずれかの出場用自動改札機１ｂで第１の時間（例えば、３０分）以内に、出場する利用者が使用した乗車券（出場処理が行われた乗車券）であるかどうかを判定する（ｓ４）。ｓ４にかかる処理の詳細については、後述する。
【００３４】
出場用自動改札機１ｂは、ｓ４で、第１の時間以内に出場処理が行われていない乗車券であると判定すると、扉開閉部１４により扉１４ａを開し（ｓ６）、その利用者が駅構内から出場するのを許可する。また、カメラ１９で撮像した利用者の撮像画像を含む出場者情報を作成し（ｓ７）、ここで作成した出場者情報を通信部１６から駅サーバ２に通知する（ｓ８）。ｓ７で作成する出場者情報には、今回使用された乗車券の乗車券識別コード、出場日時、および利用者の撮像画像が含まれている。
【００３５】
このように、出場用自動改札機１ｂは、改札通路の通行を許可した利用者にかかる出場者情報を駅サーバ２に通知する。
【００３６】
駅サーバ２は、図７に示すように、いずれかの出場用自動改札機１ｂから出場者情報が通知されると（ｓ２１）、通知された出場者情報を出場者情報記憶部２３に記憶するとともに（ｓ２２）、この通知された出場者情報を接続されている各出場用自動改札機１ｂに通知する（ｓ２３）。
【００３７】
出場用自動改札機１ｂは、駅サーバ２から出場者情報が通知されると（ｓ１１）、通知された出場者情報を出場者情報記憶部１７に記憶する（ｓ１２）。したがって、出場用自動改札機１ｂは、自機で出場処理した利用者だけでなく、設置駅の他の出場用自動改札機１ｂで出場処理された利用者についても、出場者情報を出場者情報記憶部１７に記憶する。
【００３８】
ここで、上述したｓ４にかかる処理について説明する。一般的な出場用自動改札機１ｂは、改札通路の通行を許可した場合、乗車券処理部１１が利用者に返却する乗車券に出場情報（出場駅、および出場日時）を書き込んでいる。したがって、出場用自動改札機１ｂは、受け付けた乗車券に記録されている前回の出場情報によって、ｓ４にかかる判定が行える。
【００３９】
なお、出場用自動改札機１ｂが出場情報を乗車券に書き込まないシステムである場合には、ｓ２で乗車券情報を読み取った乗車券の乗車券識別コードに該当する出場者情報を出場者情報記憶部１７に記憶しているかどうか、および、出場者情報記憶部１７に記憶していれば、その出場者情報に含まれている出場日時が第１の時間以内であるかどうかを判定することにより、ｓ４にかかる判定が行える。
【００４０】
出場用自動改札機１は、ｓ４で第１の時間以内に出場処理が行われた乗車券であると判定すると、カメラ１９で撮像した改札通路を通行している利用者の撮像画像と、出場者情報記憶部１７が、その乗車券について記憶している出場者情報に含まれている利用者の撮像画像と、を用いて、利用者が同一人物であるかどうかを判定する（ｓ５）。ｓ５では、画像処理部１８が、２つの撮像画像を用いて利用者が同一人物であるかどうかを判定する。画像処理部１８は、利用者の顔や体型の一致度から同一人物であるかどうかを判定してもよいし、服装等の一致度から簡易的に同一人物であるかどうかを判定してもよい。
【００４１】
このｓ４、およびｓ５にかかる処理が、この発明で言う利用者判定手段に相当する。
【００４２】
ここで、前回の出場処理の利用者と、今回の出場処理の利用者と、が同一人物でなければ、乗車券が使い回されていることになる。出場用自動改札機１ｂは、ｓ５で同一人物であると判定すると、上述したｓ６以降の処理を実行する。一方、ｓ５で同一人物でないと判定すると、扉開閉部１４により扉１４ａを閉するとともに（ｓ９）、報知部１５において乗車券の使い回しが行われていることを報知する警報報知を行う（ｓ１０）。これにより、周辺にいる駅係員に、乗車券の使い回しが行われていることを知らせることができる。
【００４３】
なお、出場用自動改札機１ｂは、ｓ３で乗車券が適正でないと判定すると、ｓ９、およびｓ１０にかかる処理を行う。この場合の警報報知は、乗車券の使い回しが行われていることを報知するものではなく、乗車券が適正でない（有効期間切れや有効区間外等）ことを報知するものである。
【００４４】
このように、この実施形態の改札システムによれば、定期券や、期間限定のフリーパス券等の使用回数に関係なく料金が一定である特定乗車券の使い回しが行われた場合に、そのことを精度よく検出することができる。したがって、乗車券の使い回しという不正行為が行われるのを防止できる。
【００４５】
また、多くの場合、複数人の利用者が乗車券を使い回して改札通路を通行する場合、利用者間での乗車券の受け渡しは数分〜十数分程度の短時間で行われる。すなわち、乗車券を使い回して出場する複数人の利用者が改札通路を通行する時間間隔は、数分〜十数分程度の短時間である。一方、数時間以上前に使用された乗車券の場合、その乗車券が使い回されている可能性は低い。出場用自動改札機１ｂは、自機の設置駅のいずれかの出場用自動改札機１ｂで第１の時間以内に、出場する利用者が使用した乗車券でなければ、ｓ５にかかる処理を行わない。すなわち、出場用自動改札機１ｂが、利用者が同一人物であるかどうかを判定する画像処理を無駄に行うのを防止できる。したがって、出場用自動改札機１ｂの処理効率の低下が抑えられる。
【００４６】
また、乗車券を利用者に返却せず回収する場合には、ｓ７、ｓ８にかかる処理については行わない構成としてもよい。
【００４７】
また、乗車券の使い回しを検出する上記構成を入場用自動改札機１ａに設け、入場時における乗車券の使い回しも検出できるようにしてもよい。
【００４８】
なお、設置されている出場用自動改札機１ｂが１台である駅では、ｓ７で作成した出場者情報を駅サーバ２に通知することなく、これを出場者情報記憶部１７に記憶する構成とすればよい。
【００４９】
また、出場用自動改札機１ｂは、出場者情報記憶部１７に記憶している出場者情報の中で不要になった出場者情報を削除する処理を行うようにしてもよい。上述したように、出場用自動改札機１ｂは、自機の設置駅のいずれかの出場用自動改札機１ｂで第１の時間以内に、出場する利用者が使用した乗車券でなければ、ｓ５にかかる処理を行わない。すなわち、出場用自動改札機１ｂは、出場日時からの経過時間が第１の時間を超えている出場者情報を使用することがない。図８は、出場用自動改札機における出場者情報削除処理を示すフローチャートである。
【００５０】
出場用自動改札機１ｂは、この図８に示す出場者情報削除処理を適当なタイミングで実行する。例えば、一定時間毎や、出場者情報記憶部１７の空き容量が予め定めた容量以下になったときに行う。出場用自動改札機１ｂは、出場者情報記憶部１７に記憶している出場者情報を検索し、出場日時からの経過時間が第１の時間を超えている出場者情報を抽出する（ｓ３１）。そして、抽出した出場者情報を出場者情報記憶部１７から削除する（ｓ３２）。これにより、出場者情報記憶部１７が無用な出場者情報をいつまでも記憶しつづけることがない。
【００５１】
また、一般的な改札システムでは、キセル乗車を防止するために、上述した出場用自動改札機１ｂが、乗車券に出場情報を書き込むだけでなく、入場用自動改札機１ａが乗車券に入場情報を書き込んでいる。そして、入場、または出場が連続するときに、改札通路の通行を禁止するようにしている。上述した改札システムでは、駅サーバ２が出場用自動改札機１ｂから通知された出場者情報を、全て各出場用自動改札機１ｂに通知するとしたが、入場用自動改札機１ａを利用し、使い回しが行われる可能性が高い乗車券についてのみ、出場者情報を各出場用自動改札機１ｂに通知する構成としてもよい。この場合も、出場用自動改札機１ｂは、上述した図６に示す処理を実行する。
【００５２】
なお、出場用自動改札機１ｂは、ｓ６で扉１４ａを開する場合（改札通路の通行を許可した場合）に、乗車券処理部１１が乗車券に出場情報を書き込む。
【００５３】
図９は、この場合の入場用自動改札機の動作を示すフローチャートである。入場用自動改札機１ａは、乗車券処理部１１で乗車券を受け付けると（ｓ４１）、受け付けた乗車券に記録されている乗車券情報を読み取る（ｓ４２）。入場用自動改札機１ａは、この乗車券が適正であるかどうかを判定する（ｓ４３）。ｓ４３では、乗車券の有効期間や、有効区間だけでなく、前回の使用が出場であるかどうかも加えて判定する。入場用自動改札機１ａは、ｓ４３で適正であると判定すると、乗車券処理部１１が今回の入場情報を乗車券に書き込むとともに（ｓ４４）、扉開閉部１４により扉１４ａを開し（ｓ４５）、その利用者が駅構内に入場するのを許可する。
【００５４】
また、入場用自動改札機１は、前回の出場駅が自機の設置駅であるかどうかを判定する（ｓ４６）。入場用自動改札機１ａは、前回の出場駅が自機の設置駅でなければ、本処理を終了する。一方、入場用自動改札機１ａは、前回の出場駅が自機の設置駅であると、前回の出場日時が、予め定めた第２の時間以内であるかどうかを判定する（ｓ４７）。この第２の時間は、上述した第１の時間と同じ時間であってもよいし、この第１の時間よりも短い時間であってもよい。
【００５５】
入場用自動改札機１ａは、ｓ４７で第２の時間以内でないと判定すると、本処理を終了する。一方、ｓ４７で第２の時間以内であると判定すると、ｓ２で乗車券情報を読み取った乗車券の乗車券識別コードを含む、入場者情報を駅サーバ２に通知し（ｓ４８）、本処理を終了する。
【００５６】
なお、入場用自動改札機１は、ｓ４３で適正でないと判定すると、扉開閉部１４により扉１４ａを閉するとともに（ｓ４９）、報知部１５において警報報知を行う（ｓ５０）。
【００５７】
このように、入場用自動改札機１ａは、前回の出場駅が設置駅であって、且つ前回の出場日時が予め定めた第２の時間以内である利用者について、入場者情報を駅サーバ２に通知する。
【００５８】
図１０は、駅サーバの動作を示すフローチャートである。駅サーバ２は、いずれかの出場用自動改札機１ｂから出場者情報が通知されると（ｓ６１）、通知された出場者情報を出場者情報記憶部２３に記憶する（ｓ６２）。また、駅サーバ２は、いずれかの入場用自動改札機１ａから入場情報が通知されると（ｓ６３）、この入場情報に該当する乗車券の出場者情報を出場者情報記憶部２３から読み出し（ｓ６４）、これを各出場用自動改札機１ｂに通知する（ｓ６５）。
【００５９】
このように、駅サーバ２は、前回の出場駅と同一駅での入場に使用され、且つ前回の出場からの経過時間が第２に時間以内であった乗車券についてのみ、出場者情報を各出場用自動改札機１ｂに通知する。
【００６０】
出場用自動改札機１ｂは、乗車券の前回の使用が出場であれば、ｓ３で適正な乗車券でないと判定する。このため、乗車券を使い回しする利用者は、その乗車券に入場情報を書き込むために、入場用自動改札機１ａに入場処理を行わせなければならない。したがって、入場用自動改札機１ａは、使い回しされる可能性が高い乗車券についてのみ、入場者情報を駅サーバ２に通知する。その結果、駅サーバ２は、使い回しされる可能性が高い乗車券についてのみ、出場者情報を出場用自動改札機１ｂに通知する。
【００６１】
このため、駅サーバ２から各出場用自動改札機１ｂに対する無駄な出場者情報の通知が抑えられるとともに、出場用自動改札機１ｂの出場者情報記憶部１７の記憶容量が抑えられる。
【００６２】
さらに、図１１に示すように、ｓ５１を追加し、入場用自動改札機１ａが、前回の出場駅が設置駅であって、前回の出場日時が予め定めた第２の時間以内であり、さらに、利用者検知部１２において改札通路を通行した利用者（入場者）の通過が検知ができなかった場合に、入場者情報を駅サーバ２に通知する構成としてもよい。
【００６３】
上述したように、乗車券を使い回しする利用者は、その乗車券に入場情報を書き込むために、入場用自動改札機１ａに入場処理を行わせているだけで、実際に駅構内入場することはない。したがって、図１１に示す処理とすれば、駅サーバ２から各出場用自動改札機１ｂに対する無駄な出場者情報の通知が一層抑えられるとともに、出場用自動改札機１ｂの出場者情報記憶部１７の記憶容量が一層抑えられる。
【００６４】
なお、乗車券の使い回しが行われていると判断したときのカメラ１９の撮像画像を記録保存するようにしてもよい。また、上記の説明では、乗車券の使い回しが行われていると判断すると、その時点で、改札通路における利用者の通行を制限するとしたが、この改札通路の制限を行わず、乗車券の使い回しを行っている可能性が高い利用者として登録し、この利用者が乗車券の使い回しを行っていると判断された回数をカウントする。そして、このカウント値が予め定めた値になったときに、乗車券の使い回しを行っている利用者と確定し、改札通路における利用者の通行を制限するようにしてもよい。さらに、何度も繰り返し乗車券の使い回しを行っている悪質な利用者については、記録保存しているカメラ１９の撮像画像を証拠にして、乗車料金等の請求を行ってもよい。
【００６５】
また、本願発明は、遊園地やテーマパーク等の施設に入出場する利用者に対して改札処理を行うシステムにも適用できる。
【図面の簡単な説明】
【００６６】
【図１】この発明の実施形態である改札システムの概要を示す図である。
【図２】入場用自動改札機の主要部の構成、および外観を示す図である。
【図３】出場用自動改札機の主要部の構成、および外観を示す図である。
【図４】駅サーバの主要部の構成を示す図である。
【図５】出場者情報を示す図である。
【図６】出場用自動改札機の動作を示すフローチャートである。
【図７】駅サーバの動作を示すフローチャートである。
【図８】出場用自動改札機における出場者情報削除処理を示すフローチャートである。
【図９】入場用自動改札機の動作を示すフローチャートである。
【図１０】別の駅サーバの動作を示すフローチャートである。
【図１１】別の入場用自動改札機の動作を示すフローチャートである。
【符号の説明】
【００６７】
１−自動改札機
１ａ−入場用自動改札機
１ｂ−出場用自動改札機
２−駅サーバ
１０−制御部
１１−乗車券処理部
１２−利用者検知部
１３−表示部
１４−扉開閉部
１５−報知部
１６−通信部
１７−出場者情報記憶部
１８−撮像画像処理部
１９−カメラ
２０−制御部
２１−下位通信部
２２−上位通信部
２３−出場者情報記憶部
【図１】
0004760838.tif 000002
【図２】
0004760838.tif 000003
【図３】
0004760838.tif 000004
【図４】
0004760838.tif 000005
【図５】
0004760838.tif 000006
【図６】
0004760838.tif 000007
【図７】
0004760838.tif 000008
【図８】
0004760838.tif 000009
【図９】
0004760838.tif 000010
【図１０】
0004760838.tif 000011
【図１１】
0004760838.tif 000012